(57)【特許請求の範囲】
【請求項１】
一軸延伸された合成樹脂製のストランドを用いて織成した補強盛土用シートにおいて、縦方向に延びる切れ込みを、横方向に所定の間隔を置いて、非切断部が２個所以上残存するように縦方向に対して部分的に形成してなる補強盛土用シート。
【請求項２】
横方向に所定の間隔をおいて、色の異なるストランドを縦方向に折り込んで縦方向目印線を形成し、該目印線に沿って縦方向に延びる切れ込みを形成してなる請求項１記載の補強盛土用シート。
【請求項３】
縦方向に所定の間隔をおいて、色の異なるストランドを横方向に折り込んで横方向目印線を形成した請求項１又は２記載の補強盛土用シート。
【請求項４】
切れ込みで挟まれたシートの切れ込み間部分を縮幅することによって切れ込みを開口せしめてなる請求項１〜３のいずれかに記載の補強盛土用シート。
【請求項５】
ストランドが、一軸延伸された合成樹脂製フィルムからなる請求項１〜４のいずれかに記載の補強盛土用シート。
【請求項６】
ストランドが、複数の一軸延伸された線状体を束ねたものである請求項１〜４のいずれかに記載の補強盛土用シート。
【請求項７】
シートを形成するストランド全体の重量に対して、縦方向ストランドが６５％以上である請求項１〜６のいずれかに記載の補強盛土用シート。
【請求項８】
請求項１〜７のいずれかに記載の補強盛土用シートを、盛土すべき位置に、その一端部が造成される法面に達するように敷設して、シートの切れ込み間部分の縮幅操作を行なった後、その上部に盛土をする工程を所定回数繰り返して積み重ねることによって盛土を行なうことを特徴とする補強盛土工法。
【請求項９】
補強盛土用シートの法面側端部に法面保護部材を連結して法面保護部材を固定する請求項８記載の補強盛土工法。
【請求項１０】
請求項１〜７のいずれかに記載の補強盛土用シートを、土盛すべき位置に、その一端部が造成される法面より前方に張り出すように敷設して、シートの切れ込み間部分の縮幅操作を行なった後、土盛位置に盛土をし、法面より前方に張り出したシートを盛土の法面を覆うように上方に引き上げてその先端を盛土の上に廻す工程を所定回数繰り返して積み重ねることによって盛土を行なうことを特徴とする補強盛土工法。
【発明の詳細な説明】
【０００１】
【発明の属する技術分野】
本発明は、機械的強度が高く、排水性に優れ、高さの高い土盛を可能とする補強盛土用シート及び補強盛土工法に関する。
【０００２】
【従来の技術】
従来、築堤、斜面の造成、盛土等法面の造成が多く行なわれている。盛土、法面の造成においては、盛土の均一な圧密を促進し、あるいは、盛土のすべりによる盛土もしくは法面の崩壊を防止するために、ジオテキスタイル、ジオグリッドと称される土木シートが使用されている。
【０００３】
かかる土木シートは、補強線条間の間隙の大きい網目状のシートで構成され、該土木シートを盛土すべき位置に敷設してその上に所定厚さに土盛をした後、さらに土木シートを敷設して土盛を行なう工程を繰り返すことによって幾層にも重ねて盛土が行なわれており、かかる盛土工法は補強盛土工法と称されている。
【０００４】
かかる工法に使用される土木シート１１は、図５（Ａ）に示すように、縦方向の引張り強度を得るために、高強度繊維１２、１２を芯材として用い、これを合成樹脂１３で被覆して格子状のシートとしたものが使用されている。しかし、かかるシートは、施工した際、シートの上下の盛土を連結して一体化させる必要から目の大きなシートとする必要があるため、シート１１の横幅当たりの芯材となる繊維１２、１２の可使量には限度があり、縦方向の引っ張り強度の大きいシートを得ることができなかった。
【０００５】
また、土木シート１１としては、図５（Ｂ）に示すように、多数の縦材用の線条材１４、１４を編成しながら横材用の線条材１５、１５と締結あるいは融着させることによって、目の大きい網目状シートを形成して用いられている。しかし、かかるシート１１においても、網目の大きなシートとすることによって、シートの上下の盛土を連結させる方式であるため、横方向一定幅に対して縦方向線条材の使用量が制約を受け、横方向一定幅に対する縦方向引っ張り強度を高くすることができないという問題があった。このため、盛土を高くする工事においては、重量がかかる盛土下部には適しないという問題があった。
【０００６】
さらにこれらの土木シート１１は排水機能がなく盛土内の水を排水し得ないため盛土が軟弱となって、盛土の沈下、あるいは盛土のすべりによる法面の崩壊の問題があり、別途排水材の施工を必要としていた。
【０００７】
【発明が解決しようとする課題】
本発明は、縦方向の引っ張り強度が優れるとともに、施工した際のシート上下の盛土の一体化がよく、また、盛土内に浸入した水の排水性に優れ、盛土の安定化のよい補強盛土用シート及びそれを用いた補強盛土工法を提供することを課題とする。
【０００８】
【課題を解決するための手段】
本発明は、かかる目的を達成するために鋭意検討した結果なされたもので、具体的には、一軸延伸された合成樹脂製のストランドを用いて織成した補強盛土用シートにおいて、縦方向に延びる切れ込みを、横方向に所定の間隔を置いて、非切断部が２個所以上残存するように縦方向に対して部分的に形成してなる補強盛土用シート、横方向に所定の間隔を置いて、色の異なるストランドを縦方向に折り込んで縦方向目印線を形成し、該目印線に沿って縦方向に延びる切れ込みを形成してなる上記の補強盛土用シート、及び、縦方向に所定の間隔をおいて、色の異なるストランドを横方向に折り込んで横方向目印線を形成した上記の補強盛土用シートを提供するものである。
【０００９】
また本発明は、切れ込みで挟まれたシートの切れ込み間部分を縮幅することによって切れ込みを開口せしめてなる上記の補強盛土用シート、ストランドが一軸延伸された合成樹脂製フィルムからなる上記の補強盛土用シート、ストランドが複数の一軸延伸された線状体を束ねたものである上記の補強盛土用シート、及び、シートを形成するストランド全体の重量に対して縦方向に配設されたストランドが６５％以上とされた上記の補強盛土用シートを提供するものである。
【００１０】
さらに本発明は、上記の補強盛土用シートを、盛土すべき位置に、その一端部が造成される法面に達するように敷設し、シートの切れ込み間部分の縮幅操作を行なった後、その上部に盛土をする工程を所定回数繰り返して積み重ねることによって盛土を行なうことを特徴とする補強盛土工法、及び、補強盛土用シートの法面側端部に法面保護部材を連結して法面保護部材を固定する補強盛土工法を提供するものである。
【００１１】
さらにまた本発明は、上記の補強盛土用シートを、盛土すべき位置に、その一端部が造成される法面より前方に張り出すように敷設し、シートの切れ込み間部分の縮幅操作を行なった後、土盛位置に盛土をし、法面より前方に張り出したシートを盛土の法面を覆うように上方に引き上げてその先端を盛土の上に廻す工程を所定回数繰り返して積み重ねることによって盛土を行なうことを特徴とする補強盛土工法を提供するものである。
【００１２】
【発明の実施の形態】
本発明の補強盛土用シート１は、図１及び図２に示すように、一軸延伸された合成樹脂製のストランド３ａ、３ｂを用いて、これを縦横に交差させて織成される。
【００１３】
ストランド３ａ、３ｂとしては、延伸効果の優れた合成樹脂が用いられ、一般には、高密度ポリエチレン、ポリプロピレン、ポリエステル、ポリアミド、ポリアラミドを用いることができる。また、これら合成樹脂と混練されて、あるいは、これら合成樹脂の線条体と共にガラス繊維、炭素繊維を用いることができる。
【００１４】
本発明においてストランドとは、シートの織成に使用される長尺状物を広く意味し、フィルム状体、紐状体、帯状体、線状体を含むものであり、これらは撚りが付与されたものでもまた撚りのないものであってもよい。
【００１５】
ストランド３ａ、３ｂの構造はいかなるものであってもよく、例えば、一軸延伸された合成樹脂フィルムを所定の幅にスリットしてこれを集束して用いることができる。一軸延伸された合成樹脂フィルムは一本を単独で織成に使用することも可能であり、また、数本を束ねて用いることもできる。
【００１６】
また、ストランド３ａ、３ｂとして、一軸延伸された合成樹脂の線条体を束ねたものを使用することができる。線条体としては、その断面形状は任意であり、丸型、長球状、方形、多角形、その他異型体とすることができる。これらストランド３ａ、３ｂは、縦材、横材として用いられて織成される。
【００１７】
本発明において、補強盛土用シート１の縦、横は、そのシートを敷設したとき、法面と交差する方向を縦方向とし、法面と平行になる方向を横方向とする。従って、本発明における縦横は、シートの形状に基づくものではない。
【００１８】
織成は、目的に応じていかなる織り方であってもよいが、一般には、縦方向の引張り強度を大きくするために平織りが採用される。
【００１９】
また、縦材として使用されるストランド３ａと横材として使用されるストランド３ｂは同じ材質であっても異なっていてもよい。しかし、本発明の補強盛土用シート１は、縦方向の引張り強度が重要となる。従って、縦材として使用されるストランド３ａとして強度の高いものが使用される。縦横同じ材質のストランド３を使用するときは、縦材として使用されるストランド３ａの量を横材となるストランド３ｂの使用量より多くすることが望ましく、一般に、シート１の全ストランド３の重量に対して縦方向ストランド３ａの使用量を６５重量％以上、好ましくは７５重量％以上とされる。
【００２０】
縦方向ストランド３ａの太さ、打ち込み本数は、目的に応じて選定されるが、一般には、２０００デニール以上、好ましくは５０００デニール以上とされ、その打ち込み本数は２５ｍｍ当たり５〜３０本程度、シート１の厚さは１ｍｍ以上、好ましくは２ｍｍ以上とされる。
【００２１】
シート１の色彩については任意であるが、耐候性を付与するために黒色とすることが望ましい。また、シート１の縦方向には、横方向に所定の間隔を置いて色彩を異にするストランド３ｃを織り込むことによって縦方向の目印線を形成することが望ましい。この縦方向目印線は、後述する縦方向の切れ込み５、５を形成する際の案内線となり、これに沿って切れ込み５、５を形成することができる。
【００２２】
同様に横方向にも所定の間隔を置いて異色のストランド３ｄを織り込むことによって、切れ込みを形成する縦方向の位置、あるいは、長さを案内する横方向目印線を形成することができる。
【００２３】
本発明の補強盛土用シート１は、横方向に所定の間隔をおいて、縦方向の切れ込み５、５が形成される。切れ込み５、５の横方向間隔は、目的に応じて任意に選定し得るが、１０〜１５０ｃｍ、好ましくは２０〜８０ｃｍ程度とされる。
【００２４】
また、切れ込み５、５は、シート１の長さ方向に部分的に形成され、シート１の長さ方向に非切断部が２個所以上、好ましくは３個所以上、さらに好ましくは４個所以上残るように形成される。すなわち、切れ込み５を縦方向に１本以上、好ましくは２本以上に分割して、さらに好ましくは３本以上に分割して形成される。
【００２５】
例えば、図１に示すように、シート１の両端に非切断部６ａ、６ｂを残して、その中央部には、シート１の長さ方向にほぼ均等になるように非切断部６ｃ、６ｃを残して切れ込み５、５が形成される。一本の切れ込みの長さは目的に応じて選定されるが、一般には、シート１の縦方向長さの３〜６０％、好ましくは５〜２５％程度とし、非切断部の長さは３〜５０％、好ましくは３〜１０％の程度とされ、全体としてシート１の縦方向長さに対して、切断部長さの合計が５０％以上となるように形成することが望ましい。
【００２６】
また、図４（Ｂ）に示すように、補強盛土用シート１を法面の保護材として使用するときは、図１に示すシート１の法面側となる端に切れ込み５、５が形成されていないシートが延長形成された構造とされる。
【００２７】
横方向に並設される切れ込み５、５は、シート１の横方向強度を低下させないために、縦方向ストランド３ａを切断しないように縦方向ストランド３ａに沿って横方向ストランド３ｂを切断する。また、シート１全体として横方向強度の低下を防ぐために、切れ込み５、５は横に形成された他の切れ込み５、５と縦方向位置が同じになるように形成されることが好ましい。すなわち、切れ込み５、５の開始点と終了点を、シート１の端部からの縦方向距離が、横に形成された他の切れ込み５、５と同じ位置となるように形成される。従って、切れ込み５、５は、一定の位置で横方向に並んだ状態となるから、切れ込み５、５を形成すべき位置を構成する横方向ストランド３ｂのみを細くし、切断し易いストランドとすることも実用的な手段である。
【００２８】
こうして得られた補強盛土用シート１を用いて盛土を行なうときは、縦方向切れ込み５、５を形成した上で、あるいは、形成することなく施工現場に搬入し、土盛をすべき位置に敷設する。この場合、縦方向切れ込み５、５が形成されていないシート１を用いたときは、敷設した後ナイフ等によって必要な位置に切れ込み５、５を形成する。また、必要に応じて係止具１０、１０によってシート１を定着させておくこともできる。係止具１０、１０としては、クリップ、Ｕピン、杭、棒等を使用することができる。
【００２９】
切れ込み５、５が形成されたならば、通常、切れ込み５、５を開口する作業が行なわれる。切れ込み５、５を開口する方法としては、図３に示すように、シート１の切れ込み５、５で挟まれた切れ込み間部分１ａ、１ａを縮幅することによって行なうことができる。切れ込み間部分１ａ、１ａの幅を縮める方法としては、図に示すように、両先端部を折り曲げてコの字型とした針金９をかけることによって行なうことができる。また、針金に代えて紐、テープ等で切れ込み間部分１ａを結束してもよく、切れ込み５、５の形成、その開口操作は工場において行ない、これをロール巻きにして施工現場に搬入することもできる。
【００３０】
こうして切れ込み５、５が開口された補強盛土用シート１の上に盛土が行なわれる。一つの層の盛土の高さは、シート１の縦方向引張り強度と土質、予想される土圧等から計算によって求めることができる。シート１の縦方向長さは、予想される円弧すべり面より充分に奥に達する長さとして、シート１の円弧すべりによる土圧によって盛土内から引き抜かれないように充分な定着長さを持つように配慮される。
【００３１】
本発明による盛土作業は、切れ込み５、５の形成、その開口以外は従来と同様に行なうことができ、図４（Ａ）に示すように、シート１を、その一端部が造成される法面に達するように平坦に敷設してその上に盛土をした後、再度シート１を敷設してその上に盛土が行なわれる工程を所定回数繰り返して積み重ねることによって必要な高さの土盛を行なった後、必要に応じて法面に植物栽培床、あるいは、コンクリートブロック等の法面保護材８を当て法面保護が行なわれる。この場合、法面保護材８を補強盛土用シート１の法面側端部に結合することによって安定化することができる。
【００３２】
また、補強盛土用シート１によって法面保護を行なうときは、図４（Ｂ）に示すように、シート１を法面より前方に張り出すように敷設をし、盛土すべき位置に土盛をした後、法面より前方に張り出したシート１を法面を覆うように上方向に引き上げて、盛土の上に廻した後、その上にシート１を敷設して切れ込み５、５の開口、盛土を行なう工程を所要回繰り返して積み重ねることによって盛土が行なわれる。
【００３３】
【発明の効果】
本発明によれば、織布構造を採るから、縦方向の引張り強度が高く、大きな土圧がかかる高い盛土工事にも使用することができ、また、切れ込みによってシートの上下の土を一体化できるから良好に圧密されると共に、シートが高強度であるから盛土の円弧すべりの発生を効果的に防止することができる。
【００３４】
また、本発明によれば、織布構造であるから排水機能を有し、盛土中の水は外部に導出され強固で安定した盛土を形成することができる。
【図面の簡単な説明】
【図１】本発明補強盛土用シートを示す斜視図
【図２】ストランドの織成構造を示す縦断面図
【図３】本発明補強盛土用シートの切れ込み部を開口する方法の一例を示す斜視図
【図４】（Ａ）、（Ｂ）は本発明補強盛土用シートを用いた補強盛土工法を示す縦断面図
【図５】従来の土木シートを示す斜視図
【符号の説明】
１：補強盛土用シート
１ａ：切れ込み間部分
３ａ、３ｂ：ストランド
３ｃ：縦方向目印線
３ｄ：横方向目印線
５：切れ込み
６ａ、６ｂ、６ｃ：非切断部
８：法面保護材
１０：係止具
【図１】
0004578648.tif 000002
【図２】
0004578648.tif 000003
【図３】
0004578648.tif 000004
【図４】
0004578648.tif 000005
【図５】
0004578648.tif 000006